(57)【特許請求の範囲】
【請求項１】
面板が四方に並べ設けられて箱胴部が形成され、箱胴部の上部が天面閉鎖部とされ箱胴部の下部が底面閉鎖部とされていて、前記箱胴部を形成する四方の面板の内、一つの面板とこの面板に隣り合う他の面板との間に、胴周り方向に曲がった曲がり面部が設けられている紙箱であり、
前記曲がり面部には、弱化線形状を波形にして胴周り方向に凸凹となる曲がりを胴周り方向に直交する方向である箱高さ方向に繰り返している複数の弱化線が入れられていて、
胴周り方向で隣り合う前記弱化線は、該弱化線の曲がりが前記胴周り方向で隣り合う弱化線の間を中心にして対称になるようにして配置され、かつ、前記弱化線の間を中心にして凸となる方向が向き合っている曲がりの頂部の部分が近接または重なるようにして配置されており、
前記胴周り方向で隣り合う弱化線の間で形成されている小区域の面取り部が、胴周り方向に直交する方向である箱高さ方向に複数並んでいて、
前記複数の面取り部が胴周り方向に直交する方向である箱高さ方向に並んでなる列を胴周り方向に複数にして並設することにより、前記曲がり面部が、弱化線を間にして隣り合う複数の前記面取り部に区分されていて、
前記胴周り方向に隣り合う面取り部の間の弱化線の折れにより、曲がり面部が胴周り方向に曲げられており、
前記弱化線はハーフカット線であって、このハーフカット線は、胴周り方向に直交する方向である箱高さ方向においての弱化線位置に沿って、箱包材にハーフカットの加工を施してなるカット線部と、ハーフカットが箱包材に対して非加工とされた短寸の繋ぎ部とを交互に配置しているものであり、
前記曲がり面部での前記複数の面取り部が箱高さ方向に並んでなる前記列の内、天面閉鎖部の一隅と底面閉鎖部の一隅との間に一列が位置していて、この天面閉鎖部の一隅と底面閉鎖部の一隅との間に位置する前記一列に対して胴周り方向に並設している列での前記面板中央側の前記弱化線のハーフカット線の上下端部が、前記天面閉鎖部と前記底面閉鎖部とから離間した位置にあることを特徴とする紙箱。
【請求項２】
上記繋ぎ部は、弱化線における上記曲がりの頂部の部分に設けられている請求項１に記載の紙箱。
【請求項３】
胴周り方向で隣り合う弱化線の間を中心にして凸となる方向が向き合っている上記曲がりの頂部の部分は、隙間を介した近接状態で対向配置されており、この対向配置された曲がりの頂部の部分それぞれに、上記繋ぎ部が設けられている請求項２に記載の紙箱。
【請求項４】
上記繋ぎ部は、胴周り方向に直交する方向である箱高さ方向においての上記弱化線とこの弱化線に胴周り方向で隣り合う弱化線とが重なる部分に設けられている請求項１または２に記載の紙箱。
【請求項５】
上記曲がり面部には、胴周り方向と直交する方向である箱高さ方向での位置を同じにして胴周り方向に間隔をおいて配置されている複数の上記繋ぎ部とこの繋ぎ部の間に位置する上記面取り部の繋ぎ部間部とが胴周り方向に交互にして並んでなるハーフカット非加工の線状補強部が設けられていて、
前記線状補強部は、曲がり面部における上記カット線部の鋭角な折れを規制するものである請求項１から４の何れか一項に記載の紙箱。
【請求項６】
箱の天面の一隅と底面の一隅との少なくとも一方に上記曲がり面部の端部が非連続の状態で近接していて、曲がり面部の端部が近接する前記一隅側から前記曲がり面部の端部に向けて短寸の折り罫が入れられてなる補強手段を、前記曲がり面部の端部とこの前記曲がり面部の端部が近接する前記一隅との間に設けた請求項１から５の何れか一項に記載の紙箱。
【発明の詳細な説明】
【技術分野】
【０００１】
本発明は、紙箱、特に箱胴部の面板と面板との間に、複数面取り部を相互に隣り合わせて丸みのある曲がり面部を設けて、箱の外観意匠を向上させた紙箱に関するものである。
【背景技術】
【０００２】
従来から一枚のブランクを組み起こしてなる紙箱においては、特許文献１、２に示されているように箱外方に向けて角立つ縁部に沿って複数の面取り部を設けて指掛かりを良くしたり、二重壁の内側上縁部に沿って複数の面取り部を設けてその上縁部の折り部としての強度を高める工夫を施したものが提案されている。
【０００３】
また、箱胴部に面取り部を設けてデザイン性を高めるようにした紙箱も提案されている。例えば特許文献３には、ブランクにおける箱胴部となる部分に六角形状とした複数の面取り部を蜂の巣状に配置するとともに、その面取り部の間を弱化線としていて、紙箱の組み起こしによって弱化線それぞれが外方に向けて凸となるように折れ込んで、胴周り方向に隣り合う面取り部の間が弱化線位置で胴周り方向に折り曲げられており、この胴周り方向に並んだ小区域の面取り部の並びが胴周り方向に曲がることでデザイン性を向上させる箱が示されている。
【先行技術文献】
【特許文献】
【０００４】
【特許文献１】特許第４７３５０９３号公報
【特許文献２】特許第４７３５０９４号公報
【特許文献３】特公昭５６−０３０２５７号公報
【発明の概要】
【発明が解決しようとする課題】
【０００５】
紙箱の角立つ縁部に面取り部を配置する場合や箱胴部に面取り部を配置する場合にあっては、特許文献３に示されているように面取り部の周囲に弱化線を設けて、その弱化線の位置で折れ込みが行なわれる。そして面取り部それぞれを囲む弱化線は箱包材に折り罫、スリット、ミシン目を入れてなるものであり、折れが生じ易いように設けられていた。
【０００６】
弱化線を形成するために箱包材に入れる上述した折り罫、スリット、ミシン目の内、スリットについては紙箱の内部と外部とがそのスリットを通じて連通することとなるので、スリットを採用する部分が限定される。そのため、箱胴部にその胴周り方向に複数の面取り部を並べ設ける構造の紙箱では弱化線にスリットを採用することができない。
【０００７】
また、通常の角柱状の紙箱での胴部のように隣り合う面板の間が９０度程度の角度を呈する折り曲げをして製函するときには、その隣り合う面板の間の折り位置での箱包材の折りに対する抗力が大きく減少して角立つ折り部分が生じるようになるが、上述したように小区域の隣り合う面取り部の間の弱化線を折り罫やミシン目によって構成した場合、面取り部間の胴周り方向での折り角度は鈍角であるため、弱化線位置での包材の折りに対する抗力が比較的大きく、製函の際に弱化線位置で適正な折れ込みが得られないという問題がある。もちろん、ミシン目については紙箱の内部と外部とが連通する点で問題とされることもある。
【０００８】
上記折り罫やミシン目と同様に紙箱のブランクを作成する際に入れることのできる弱化線には、これをハーフカット線で構成することが挙げられる。そして、ハーフカット線での弱化線を構成した場合には、その弱化線位置での包材の折りに対する抗力が比較的小さいものであるため、隣り合う面取り部がそれぞれハーフカット線の弱化線で囲まれたものとすることで、製函時に面取り部の間が適正に折れ込み、胴周り方向に隣り合う面取り部の間が設定通りに折れ曲がるようになる。さらに、面取り部それぞれの周辺も折れた弱化線となるため、面取り部それぞれの形状もはっきりと表現されるようになる。
【０００９】
しかしながら、ハーフカット線は包材に貫通に至らない切り込みを入れたものであるために弱化線位置で箱包材の層間剥離が問題となる。特に胴周り方向に並ぶ面取り部の間では外方に向けて凸となる度合いが若干高くなるため、この胴周り方向に並ぶ面取り部の間の弱化線位置で包材が層間剥離して面取り部の辺部が大きく捲れ易いという不具合がある。
【００１０】
そこで本発明は上記事情に鑑み、紙箱の胴部における面板と面板との間に、それぞれがハーフカット線からなる弱化線で区分された複数の面取り部が並んでなる曲がり面部を設けた紙箱において、面取り部の辺部で捲れが生じないようにすることを課題とし、箱胴部の面板と面板との間に、前記複数の面取り部を並べ設けて胴周り方向に曲がりのある曲がり面部を配し、箱胴部に変化に富んだ面が存在するデザイン性に優れた紙箱を提供することを目的とするものである。
【課題を解決するための手段】
【００１１】
（請求項１の発明）
本発明は上記課題を考慮してなされたもので、面板が四方に並べ設けられて箱胴部が形成され、箱胴部の上部が天面閉鎖部とされ箱胴部の下部が底面閉鎖部とされていて、前記箱胴部を形成する四方の面板の内、一つの面板とこの面板に隣り合う他の面板との間に、胴周り方向に曲がった曲がり面部が設けられている紙箱であり、
前記曲がり面部には、弱化線形状を波形にして胴周り方向に凸凹となる曲がりを胴周り方向に直交する方向である箱高さ方向に繰り返している複数の弱化線が入れられていて、
胴周り方向で隣り合う前記弱化線は、該弱化線の曲がりが前記胴周り方向で隣り合う弱化線の間を中心にして対称になるようにして配置され、かつ、前記弱化線の間を中心にして凸となる方向が向き合っている曲がりの頂部の部分が近接または重なるようにして配置されており、
前記胴周り方向で隣り合う弱化線の間で形成されている小区域の面取り部が、胴周り方向に直交する方向である箱高さ方向に複数並んでいて、
前記複数の面取り部が胴周り方向に直交する方向である箱高さ方向に並んでなる列を胴周り方向に複数にして並設することにより、前記曲がり面部が、弱化線を間にして隣り合う複数の前記面取り部に区分されていて、
前記胴周り方向に隣り合う面取り部の間の弱化線の折れにより、曲がり面部が胴周り方向に曲げられており、
前記弱化線はハーフカット線であって、このハーフカット線は、胴周り方向に直交する方向である箱高さ方向においての弱化線位置に沿って、箱包材にハーフカットの加工を施してなるカット線部と、ハーフカットが箱包材に対して非加工とされた短寸の繋ぎ部とを交互に配置しているものであり、
前記曲がり面部での前記複数の面取り部が箱高さ方向に並んでなる前記列の内、天面閉鎖部の一隅と底面閉鎖部の一隅との間に一列が位置していて、この天面閉鎖部の一隅と底面閉鎖部の一隅との間に位置する前記一列に対して胴周り方向に並設している列での前記面板中央側の前記弱化線のハーフカット線の上下端部が、前記天面閉鎖部と前記底面閉鎖部とから離間した位置にあることを特徴とする紙箱を提供して、上記課題を解消するものである。
【００１２】
（請求項２の発明）
本発明において、上記繋ぎ部は、弱化線における上記曲がりの頂部の部分に設けられていることが良好である。
【００１３】
（請求項３の発明）
また、本発明において、胴周り方向で隣り合う弱化線の間を中心にして凸となる方向が向き合っている上記曲がりの頂部の部分は、隙間を介した近接状態で対向配置されており、この対向配置された曲がりの頂部の部分それぞれに、上記繋ぎ部が設けられていることが良好である。
【００１４】
（請求項４の発明）
また、本発明において、上記繋ぎ部は、胴周り方向に直交する方向である箱高さ方向においての上記弱化線とこの弱化線に胴周り方向で隣り合う弱化線とが重なる部分に設けられていることが良好である。
【００１５】
（請求項５の発明）
また、本発明において、上記曲がり面部には、胴周り方向と直交する方向である箱高さ方向での位置を同じにして胴周り方向に間隔をおいて配置されている複数の上記繋ぎ部とこの繋ぎ部の間に位置する上記面取り部の繋ぎ部間部とが胴周り方向に交互にして並んでなるハーフカット非加工の線状補強部が設けられていて、
前記線状補強部は、曲がり面部における上記カット線部の鋭角な折れを規制するものであることが良好である。
【００１６】
（請求項６の発明）
また、本発明において、箱の天面の一隅と底面の一隅との少なくとも一方に上記曲がり面部の端部が非連続の状態で近接していて、曲がり面部の端部が近接する前記一隅側から前記曲がり面部の端部に向けて短寸の折り罫が入れられてなる補強手段を、前記曲がり面部の端部とこの前記曲がり面部の端部が近接する前記一隅との間に設けることが良好である。
【発明の効果】
【００１７】
（請求項１の発明の効果）
請求項１の発明によれば、複数が並び設けられることによって曲がり面部を構成する面取り部の辺部となる弱化線が、ハーフカットの加工を施したカット線部と繋ぎ部とが交互に並んでなるものであるので、曲がり面部が曲がる際に弱化線位置で折れ込みが行なわれても、繋ぎ部がカット線部で層間剥離が進むのを抑えるようになり、面取り部辺部に捲れが生じない。そのため、弱化線位置が適正に折れて面取り部それぞれの形状が明確になった曲がり面部が箱胴部に形成されることとなり、紙箱の外観が頗る向上するようになる。
【００１８】
（請求項２の発明の効果）
請求項２の発明によれば、繋ぎ部が、弱化線における曲がりの頂部の部分に設けられているので、箱外方に向けて凸となって折れ出る度合いの高い部分で包材が捲れるのを抑えるようになり、箱外方に向けて凸となって折れ出る度合いの高い前記部分の外観を損なうことがない。
【００１９】
（請求項３の発明の効果）
請求項３の発明によれば、凸となる方向が向き合っている曲がりの頂部の部分が、その曲がりの頂部の部分の間に隙間を介した近接状態で対向配置されて、この対向配置された曲がりの頂部の部分それぞれに、繋ぎ部が設けられているので、箱外方に向けて凸となって折れ出る度合いの高い部分で包材がめくれるのを抑え、箱外方に向けて凸となって折れ出る度合いの高い部分の外観を損なうことがない。
【００２０】
（請求項４の発明の効果）
請求項４の発明によれば、繋ぎ部が、胴周り方向に直交する方向においての弱化線とこの弱化線に胴周り方向で隣り合う弱化線とが重なる部分に設けられているので、その重なる部分で包材の層間剥離が進むのを抑え、弱化線位置を重ね合わせて隣り合う面取り部の間でめくれが生じず、その隣り合う面取り部の間が適正に折れるようになる。
【００２１】
（請求項５の発明の効果）
請求項５の発明によれば、曲がり面部に、この曲がり面部におけるカット線部の鋭角な折れを規制する線状補強部が設けられているので、曲がり面部の曲がり形状が安定するという利点がある。
【００２２】
（請求項６の発明の効果）
請求項６の発明によれば、曲がり面部の端部が箱の天面の一隅や底面の一隅に近接する部分において、天面の一隅や底面の一隅とこの一隅に近接する曲がり面部の端部との間に折り罫による補強手段が設けられているので、この補強手段の部分での箱包材における層間剥離を生じさせず、この紙箱の取扱いで、天面の一隅側や底面の一隅側に衝撃が及ぶようなことがあっても、その一隅に近接する曲がり面部の端部での捲れによる外観の乱れを防止することができる。
【図面の簡単な説明】
【００２３】
【図１】本発明の紙箱に係る第一の実施の例を示すもので、（ａ）は正面側から見た状態を示す説明図、（ｂ）は左側方から見た状態を示す説明図、（ｃ）は右側方から見た状態を示す説明図、（ｄ）は上方から見た状態を示す説明図、（ｅ）は下方から見た状態を示す説明図、（ｆ）は背面側から見た状態を示す説明図である。
【図２】第一の実施の例を展開したブランクの状態で示す説明図である。
【図３】第一の実施の例における左側曲がり面部の上端側を一部切り欠いた状態で示す説明図である。
【図４】第二の実施の例を示すもので、（ａ）は正面側から見た状態を示す説明図、（ｂ）は左側方から見た状態を示す説明図、（ｃ）は右側方から見た状態を示す説明図、（ｄ）は上方から見た状態を示す説明図、（ｅ）は下方から見た状態を示す説明図、（ｆ）は背面側から見た状態を示す説明図である。
【図５】第二の実施の例を展開したブランクの状態で示す説明図である。
【図６】第三の実施の例を示すもので、（ａ）は正面側から見た状態を示す説明図、（ｂ）は左側方から見た状態を示す説明図、（ｃ）は右側方から見た状態を示す説明図、（ｄ）は上方から見た状態を示す説明図、（ｅ）は下方から見た状態を示す説明図、（ｆ）は背面側から見た状態を示す説明図である。
【図７】第三の実施の例を展開したブランクの状態で示す説明図である。
【図８】第四の実施の例を示すもので、（ａ）は正面側から見た状態を示す説明図、（ｂ）は左側方から見た状態を示す説明図、（ｃ）は右側方から見た状態を示す説明図、（ｄ）は上方から見た状態を示す説明図、（ｅ）は下方から見た状態を示す説明図、（ｆ）は背面側から見た状態を示す説明図である。
【図９】第四の実施の例を展開したブランクの状態で示す説明図である。
【図１０】第五の実施の例を示すもので、（ａ）は正面側から見た状態を示す説明図、（ｂ）は左側方から見た状態を示す説明図、（ｃ）は右側方から見た状態を示す説明図、（ｄ）は上方から見た状態を示す説明図、（ｅ）は下方から見た状態を示す説明図、（ｆ）は背面側から見た状態を示す説明図である。
【図１１】第五の実施の例を展開したブランクの状態で示す説明図である。
【図１２】第六の実施の例を示すもので、（ａ）は正面側から見た状態を示す説明図、（ｂ）は左側方から見た状態を示す説明図、（ｃ）は右側方から見た状態を示す説明図、（ｄ）は上方から見た状態を示す説明図、（ｅ）は下方から見た状態を示す説明図、（ｆ）は背面側から見た状態を示す説明図である。
【図１３】第六の実施の例を展開したブランクの状態で示す説明図である。
【図１４】補強手段を設けた例をブランクでの一部拡大した状態で示す説明図である。
【発明を実施するための形態】
【００２４】
（第一の実施の例）
つぎに本発明を図１から図１４に示す実施の例に基づいて詳細に説明する。図１から図３は第一の実施の例を示している。図中１は一枚のブランクから組み起こして得られる紙箱であり、ブランクにおける糊代となる部分を対応する位置に貼り付けて扁平なスリーブを作成し、これを組み起こすことで六方に面板を配して略ブロック状の形状とした紙箱である。
【００２５】
紙箱１は四方に正面板２、背面板３、左右の側面板４、５を配してこれら面板を胴周り方向に並べ設けて箱胴部６とし、この箱胴部６の上部を天面閉鎖部７とし、箱胴部６の下部を底面閉鎖部８としている。
【００２６】
（天面閉鎖部、底面閉鎖部）
上記天面閉鎖部７は、通常の紙箱の構造と同様に、左右の側面板４、５の上端縁に連接の上フラップである天面閉鎖部構成部材７０を折り倒し、正面板２の上端縁に連接の天面板である天面閉鎖部構成部材７１を折り倒して天面閉鎖部構成部材７０に重ね、その天面閉鎖部構成部材７１に連接の差し込み片７２を、背面板３と上フラップの天面閉鎖部構成部材７０との間に差し入れて、紙箱の天面を閉じている。
【００２７】
また、底面閉鎖部８も通常の紙箱での構造と同様であって、側面板４、５の下端縁に連接の下フラップである底面閉鎖部構成部材８０を折り倒し、正面板２の下端縁に連接の底面板である底面閉鎖部構成部材８１を折り倒して底面閉鎖部構成部材８０に重ね、その底面閉鎖部構成部材８１に連接の差し込み片８２を、背面板３と底面閉鎖部構成部材８０（下フラップ）との間に差し入れて、紙箱の底面を閉じている。
【００２８】
（箱胴部）
箱胴部６には、上記正面板２と左側面板４との間、及び正面板２と右側面板５との間に曲がり面部９が設けられている（図２参照）。この曲がり面部９それぞれは小区域の複数の面取り部１０を隣接させて形成しているものであり、第一の実施の例にあっては、前記複数の面取り部１０を並べ設けてなる曲がり面部９が胴周り方向と直交する方向、即ち、箱胴部の上端から下端に亘って位置している（図１）。
【００２９】
（曲がり面部）
後述するように曲がり面部９は、胴周り方向での断面において少なくとも一面の面取り部１０が位置するように形成されており、正面板２と曲がり面部９との間が胴周り方向に折れ、また、曲がり面部９と左右側面板４、５との間も胴周り方向に折れ、加えて、曲がり面部９での胴周り方向に隣り合う面取り部１０の間が胴周り方向に折れ込まれており、これによって曲がり面部９自体が、胴周り方向の複数個所で鈍角な折りが行なわれて構成された丸味がある面としている。
【００３０】
面取り部１０それぞれは、箱高さ方向（胴周り方向に直交する方向）の両端が尖頭の略紡錘形としている。そして、面取り部１０を箱高さ方向に並び設けてなる縦の列が胴周り方向に三列にして配置され、各列における太部ａ（面取り部の中央部分）が、隣りの列の細部ｂ（面取り部の尖頭が対向している部分）に対応するように面取り部１０が密にして並べ設けられている（図３参照）。
【００３１】
これによって、曲がり面部９では、箱高さ方向に対して斜めとなる方向に面取り部１０が近接し合うとともに、胴周り方向においても前記細部ｂを間にして面取り部１０が近接し合う配置としている。前記細部ｂは胴周り方向での幅は極めて狭いものとされており、胴周り方向で前記面取り部１０が並ぶ部分にあっては、図示されているように相対する面取り部１０の間を極めて狭くした状態で隣り合っている箇所がある。
【００３２】
この第一の実施の例における曲がり面部９では、図１と図２とに示すように箱高さ方向に面取り部１０を並び設けてなる三つの列の内、胴周り方向で中央となる縦の列であって天面閉鎖部７の一隅と底面閉鎖部８の一隅との間に位置する列が最長の列とされており、曲がり面部９での上端９ａをこの中央の列での尖頭の部分とし、また、下端９ｂをこの中央の列での尖頭の部分としている。
【００３３】
図示されているように曲がり面部９の上記上端９ａのみが天面の一隅Ｘに達しており、下端９ｂのみが底面の一隅Ｙに達している。そのため、箱胴部での正面板２から左側面板４及び右側面板５にかけて曲がり面部９で形成される丸みが、天面閉鎖部７と底面閉鎖部８の矩形形状に影響を及ぼすことはない。
【００３４】
（ブランク）
図２は第一の実施の例の紙箱１の展開状態を、組み起こしてこの紙箱１を得ることのできるブランク１１にて示している。なお、ブランク１１は箱外面となる側が図示されている。正面板２と左側面板４との間には上記曲がり面部９が設けられているとともに、正面板２と右側面板５との間にも曲がり面部９が設けられている。曲がり面部９は紙箱１を正面から見たときの左右それぞれに多面により構成された丸みを形成するためのもので、そのため曲がり面部９の領域が正面板２の中央側や左右側面板４、５それぞれの中央側に深く入り込む形状とはしていない。
【００３５】
上記左側面板４の正面板側とは反対側に背面板３が連接され、この背面板３に糊代片１２が連接され、この糊代片１２が右側面板５の箱内面側での対応位置に貼り付けられる。
【００３６】
正面板２、左右側面板４、５の上端縁に上述したように天面閉鎖部構成部材（天面板）７１、天面閉鎖部構成部材７０が連接されて、前記天面閉鎖部構成部材７１に差し込み片７２が連接されている。また、正面板２、左右側面板４、５の下端縁に底面閉鎖部構成部材（底面板）８１、底面閉鎖部構成部材８０が連接されて、底面閉鎖部構成部材８１に差し込み片８２が連接されている。
【００３７】
この第一の実施の例の紙箱１ではその製函の前段階の形態として、糊代片１２を右側面板５に貼り付けた状態で、正面板２と右側面板５との間を直線状に折って全体を扁平のスリーブ形態にすることができない。そこで、この紙箱１を得るためのブランクで示されているように、天面閉鎖部構成部材７０と左側面４と底面閉鎖部構成部材８０を通る折り部１３で折られ、天面閉鎖部構成部材７０と右側面５と底面閉鎖部構成部材８０を通る折り部１３で折られるようにしている。なお、折れた折り部１３は製函に際して展開される。
【００３８】
（弱化線）
上記曲がり面部９には、周辺が折れとなる複数の上記面取り部１０を形成するために、それぞれ胴周り方向と直交する方向にして複数本の弱化線１４が入れられている。前記弱化線１４はハーフカット線であって、このハーフカット線は、胴周り方向に直交する方向（箱高さ方向）においての弱化線位置１５に沿って、箱包材に箱外方側からハーフカットの加工を施してなるカット線部１６と、ハーフカットを箱包材に対して非加工にした（即ち、ハーフカットの加工を施していない）短寸の繋ぎ部１７とを交互に配置しているものである。この第一の実施の例においては、面取り部９の縦の並びの列を三列にして形成するために、箱高さ方向にした弱化線１４を四本にして入れられている（図３）。そして、図１から図３に示すように天面閉鎖部７の一隅と底面閉鎖部８の一隅との間に位置する面取り部１０の縦の並びの列（即ち、曲がり面部９での中央の列）に対して胴周り方向に並設されている列において、その列の上記面板中央側の弱化線１４であるハーフカット線の上下端部が、天面閉鎖部７と底面閉鎖部８とから離間した位置とされている。
【００３９】
（曲がり）
弱化線１４は、弱化線形状を波形にして胴周り方向に凸凹となる曲がり１８を箱高さ方向に繰り返しているものである。波形としてはサインウェーブのような緩やかな山形状部分と谷形状部分とが交互に繰り返されている形状や、矩形波や鋸刃のような形状、さらに台形状の出入により凸凹を形成した形状など各種のものがある。このように胴周り方向で凸となる曲がり１８のその凸となる向きを、正逆交互にして箱高さ方向に繰り返して配置した形状になればよいものである。この第一の実施の例において、弱化線１４それぞれは、図示のように曲がり１８を胴周り方向に凸となる弧状としており、曲がり１８の凸となる向きが正逆交互にして箱高さ方向に繰り返した形状である。
【００４０】
紡錘形状の面取り部１０を形成するために、胴周り方向で隣り合う弱化線１４が、該弱化線１４の曲がり１８がこの胴周り方向で隣り合う弱化線１４の間を中心にして対称になるようにして配置されている。さらに前記弱化線１４の間を中心にして凸となる方向が向き合っている曲がり１８の頂部１９の部分が近接して配置されている。相対する曲がり１８の頂部１９が近接することで、複数の面取り部１０が縦に並んでなる列の上記細部ｂが形成されている。
【００４１】
そのため、列における一つの細部ｂから隣り（箱高さ方向での隣り）の細部ｂまでに亘る範囲の弱化線１４が相対することで紡錘形状とした一つの面取り部１０が形成されており、胴周り方向で隣り合う二本の弱化線１４により前記面取り部１０が箱高さ方向に複数並び設けられている。ブランクの形態で示すように四本の弱化線１４を入れたこの曲がり面部９では、複数の面取り部１０を箱高さ方向に並び設けてなる縦の列が三列形成されていて、上述したように面取り部１０は、箱高さ方向に対し斜めとなる方向で弱化線１４を介して隣りの列の面取り部１０に近接し合い、また、二つの面取り部１０が上記細部ｂを介する形で胴周り方向に並んでいる部分も有している。
【００４２】
このように曲がり面部９は小区域の複数の面取り部１０に区画されてなるものとしており、ブランクから扁平なスリーブ形態とされたものを製函する際に、曲がり面部９と正面板２との間の弱化線１４、曲がり面部９と左右の側面板４、５との間の弱化線１４で折り込みされるとともに、曲がり面部９での上記各面取り部１０を囲むように位置する弱化線１４が、その弱化線位置で箱外方に凸となる折れ込みをして、斜め方向及び胴周り方向に近接した状態で並ぶ面取り部１０の間が胴周り方向に折れている。
【００４３】
よって、曲がり面部９も胴周り方向の断面位置での複数個所で胴周り方向に鈍角な折れ角度で折れていて、即ち、前記面板との間で鈍角な折れ角度で折れているとともに、面取り部１０の間で鈍角な折れ角度で折れていることにより、曲がり面部９自体が丸みを呈する状態にして胴周り方向に曲がっている。
【００４４】
（繋ぎ部）
曲がり面部９において、上記弱化線１４における曲がり１８の頂部１９の部分に繋ぎ部１７が設けられている。そのため、胴周り方向で隣り合う弱化線１４の間を中心にして凸となる方向が向き合っている状態となって隙間を介した近接状態で対向配置されている曲がり１８の頂部１９の部分、即ち、面取り部１０が箱高さ方向に並んでなる列での上記細部ｂを形成している曲がり１８の頂部１９の部分にも、それぞれ繋ぎ部１７が位置しており、図３に示すようにその部分での二つの繋ぎ部１７は隙間を介して胴周り方向に対向する状態に配置されている。
【００４５】
このように曲がり面部９に入れられて各面取り部１０の辺部を形成する弱化線１４での曲がり１８の頂部１９の部分は、箱外方に向けて凸となる折れ込みの度合いが若干高い部分となっているが、この頂部１９の部分それぞれに繋ぎ部１７が設けられていることから、この弱化線位置での包材の層間剥離が生じず、面取り部１０の胴周り方向に凸となる形状の辺部で包材が捲れるのを抑えているとともに、繋ぎ部１７に連続するカット線部１６に対してもハーフカットによる包材を貫通しない切れ目の部分が過度に開かないように作用して、このカット線部１６での層間剥離が生じるのを抑えている。
【００４６】
（線状補強部）
繋ぎ部１７は、箱高さ方向に沿う弱化線位置１５上において曲がり１８の頂部１９の部分に設けられているとともに、弱化線位置１５に沿って並ぶ頂部１９と頂部１９との中間部分にもこの繋ぎ部１７が設けられて、前記弱化線位置１５に沿って等間隔にしている。これによって、曲がり面部９全体においては、箱高さ方向での位置を同じにした繋ぎ部１７が胴周り方向に間隔をおいて配置されてなる繋ぎ部１７の並びの列２０が、箱高さ方向に間隔をおいて複数存在しているものとなっている。
【００４７】
上述したように、曲がり面部９では、箱高さ方向での位置を同じにした繋ぎ部１７が胴周り方向に間隔をおいて配置されてなる上記列２０が存在していることから、列２０上に、間隔をおいて配置されている繋ぎ部１７とこの繋ぎ部１７の間に位置する面取り部１０の繋ぎ部間部２１とが胴周り方向に交互にして並んでいて、前記繋ぎ部１７と前記繋ぎ部間部２１とが交互に並んでなる線状補強部２２がこの列２０上に設けられている。
【００４８】
正面板２の左に位置する曲がり面部９では、上記線状補強部２２の一方の端部は正面板２に達し、他方の端部は左側面板４に達しており、正面板２の右に位置する曲がり面部９では、線状補強部２２の一方の端部は正面板２に達し、他方の端部は右側面板５に達している。
【００４９】
上記線状補強部２２はハーフカット非加工の部分であって両端部が上記面板に達していることから、製函の際に曲がり面部９に加えられる力がこの線状補強部２２に沿って分散する度合いを高めて、胴周り方向で並ぶ複数の弱化線位置に不均一に応力が集中することのないようにして、上記カット線部１６のいずれかに鋭角な折れ込みが生じないように規制する働きを有するものである。曲がり面部９は前記線状補強部２２を有することから、丸みを表現できる部位となり、紙箱１の外観を向上させることができる。
【００５０】
（第二の実施の例）
上記第一の実施の例での紙箱１においては、正面板２の左右両側に曲がり面部９が設けられているが、一方側にのみ曲がり面部９を設けるようにすることも可能である。その例が第二の実施の例として図４と図５とに示されている。第二の実施の例での紙箱１は第一の実施の例と比較して正面板２と背面板３とは幅狭であり、前述のように曲がり面部９も正面板２と左側面板４との間に配置されている（図５のブランク参照）。
【００５１】
この例の紙箱１にあっては、箱胴部の組み起こし前に背面板３と左側面板４との間で折り畳むとともに、正面板２と右側面板５との間を折り畳み、さらに糊代片１２を右側面板５の内面側に貼着させて扁平のスリープの形態としておくことができる。そして、この紙箱１は扁平のスリープの状態から箱胴部６を組み起こすことで、胴周り方向に丸味のある上述実施の例での曲がり面部と同じ構成の曲がり面部９が得られ、天面と底面とを閉鎖している紙箱１では、上述の例と同じように線状補強部２２を有した曲がり面部９を備えるものとなる。
【００５２】
なお、この第二実施の例では、背面板３の下端縁に底面板である底面閉鎖部構成部材８１が連接されている。
【００５３】
（第三の実施の例）
第一、第二の実施の例において面取り部１０を紡錘形状としているが、本発明はこの面取り部１０の形状を限定しているものではない。第三の実施の例における紙箱１で示すように面取り部１０を六角形状とし、蜂の巣状にこの面取り部１０を並べ設けるようにして曲がり面部９が形成されている。この例では弱化線１４を、胴周り方向に凸凹となる曲がり１８を略台形として胴周り方向に向けて凸となる向きを交互に正逆にして箱高さ方向に並べ設けた形状としている（図６、図７）。
【００５４】
そして、胴周り方向で隣り合う弱化線位置１５において曲がり１８の頂部１９となる部分が直線状となって重なっており、その重なり部分での上端及び下端に繋ぎ部１７を配置しているものである。この紙箱１においても、扁平のスリープの状態から箱胴部６を組み起こすことで、胴周り方向に丸味のある曲がり面部９が得られ、天面と底面とを閉鎖している紙箱１では、線状補強部２２を有した曲がり面部９を備えるものとなる。
【００５５】
第三の実施の例での曲がり面部９も、面取り部１０の形状が相違する以外は上記実施の例での曲がり面部の構成と同じである。なお、この第三の実施の例の紙箱１の底面部は、扁平スリーブから箱胴部を組み起こすときに自動的にロックするボトムロック機構を利用して閉鎖されるものであり、噛み合い部を有する底面閉鎖部構成部材８１が正面板と背面板とのそれぞれの下端縁に連接され、隣位する底面閉鎖部構成部材８１の折り返し貼着片に事前に貼り合わされる底面閉鎖部構成部材８０が左右の側面板４、５の下端縁に連接されている。
【００５６】
（第四の実施の例）
第四の実施の例における紙箱１で示すように面取り部１０を縦長の菱形とし、この面取り部１０を並べ設けるようにして曲がり面部９が形成されている。この例では弱化線１４を、胴周り方向に凸凹となる曲がり１８を山形として胴周り方向に向けて凸となる向きを交互に正逆にして箱高さ方向に並べ設けた形状としている（図８、図９）。
【００５７】
第四の実施の例では、胴周り方向で隣り合う弱化線位置１５において曲がり１８の頂部１９となる部分が一点で重なっており、その重なり部分に繋ぎ部１７を配置しているものである。この紙箱１においても、扁平のスリープの状態から箱胴部６を組み起こすことで、胴周り方向に丸味のある曲がり面部９が得られ、天面と底面とを閉鎖している紙箱１では、線状補強部２２を有した曲がり面部９を備えるものとなる。
【００５８】
この第四の実施の例は曲がり面部９は上端９ａが天面の一隅Ｘに達しているが、下端９ｂは箱胴部６の中央高さ位置としており、下端９ｂは正面板２と左側面板４との間の折り部に連続している。このように、曲がり面部９は箱胴部６の箱高さ方向において部分的に設けるようにすることも可能である。
【００５９】
なお、曲がり面部９の形成は、面取り部１０の形状が相違する点と下端が底面部側に達していない点以外は上記実施の例での曲がり面部の構成と同じである。また、底面部の閉鎖は上記例と同様にオートマチックボトムロック機構を採用して閉鎖される。
【００６０】
（第五の実施の例）
第五の実施の例は上記第四の実施の例の変形であって、曲がり面部９が第一、第二、第三の実施の例と同じように箱胴部６の箱高さ方向の全体に亘って設けられているものである（図１０、図１１）。
【００６１】
（第六の実施の例）
第六の実施の例は第一の実施の例の変形であって、図１２、図１３に示すように曲がり面部９を構成している面取り部１０の形状を縦長の菱形としていて、他の点については第一の実施の例と同様である。
【００６２】
上記各実施の例に対応する図面それぞれにおいて、説明を容易にするために弱化線、弱化線位置などの各部位について全てには符号を付してはいない。また、列２０については一点破線でその列の高さ位置を示しているが、その位置全てにこの仮想線が配されているわけではない。
【００６３】
（補強手段）
上述した例では、紙箱１の天面の一隅Ｘに、曲がり面部９の上端９ａを達しさせるとともに、底面の一隅Ｙに、曲がり面部９の下端９ｂを達しさせたもの、また天面の一隅Ｘに、曲がり面部９の上端９ａを達しさせ、曲がり面部９の下端９ｂについては底面の一隅Ｙに達しさせずに箱胴部６の中央高さ位置にしたものを示している。そして前記上端９ａや下端９ｂにおいては、ハーフカット線の繋ぎ部が前記一隅の位置に達していて（繋ぎ部が一隅に連続している）、カット線部が直接的にその一隅に達しているものではないが、前記繋ぎ部の長さは短かいものである。
【００６４】
このような紙箱１を落とすなどして、曲がり面部の上端や下端が達している天面や底面の一隅Ｘ、Ｙに衝撃が加わったとき、その一隅Ｘ、Ｙ側にあるカット線部の位置で僅かながらも箱包材に層間剥離が生じ易くなる。特に第四、第五、第六の実施の例で示すごとく面取り部１０が菱形となって直線状のカット線部における端部同士が一隅で近接する位置関係であると、カット線部の位置で生じた両者の層間剥離が繋がって、上端９ａや下端９ｂを一部分としている面取り部１０のその上端９ａ側、下端９ｂ側で少し捲れて、その捲れによって紙箱１の外観が損なわれる可能性がある。
【００６５】
図１４（ａ）（ｂ）は面取り部１０を菱形となっている紙箱１に対して上記捲れを生じさせないようにするために補強手段２３を設けた例を、ブランクの状態で示している。図示の例では、箱の天面の一隅Ｘに曲がり面部９の上端９ａが非連続の状態で近接している。そして（ａ）に示す例では、上端９ａが近接する前記一隅Ｘ側からその上端９ａに向けて短寸の折り罫を入れてなる補強手段２３を、前記上端９ａとこの上端９ａが近接する前記一隅Ｘとの間に設けていて、前記補強手段２３は上端９ａを一部とする面取り部１０の中央に向けて直線状とされたものである。なお、図１４（ａ）（ｂ）ではブランクを示す図において便宜上、箱の天面の一隅となる部分に符号Ｘを付している。
【００６６】
このように曲がり面部９の上端９ａが非連続の状態とされているので、上端９ａでのハーフカット線のカット線部１６それぞれが箱胴部において天面の一隅Ｘから離れたものとなり、さらに前記天面の一隅Ｘに達する補強手段２３が紙箱１の形態で角立つ易い部分となっており、カット線部１６の位置に応力集中をさせずに層間剥離を抑え込む補強が図られている。よって、紙箱１を取り扱っているときにこの天面の一隅Ｘ側に衝撃が加わるようなことがあっても、上端９ａを一部分とする面取り部１０での捲れを防止する。
【００６７】
図１４（ａ）では上記補強手段２３を設けた例として、その補強手段２３を直線状にして短寸の折り罫からなるものとしたが、箱胴部での前記一隅に対応する部分での折り曲げを容易にしつつ層間剥離を抑え込むものであればよく、図１４（ｂ）に示すようにカット線部１６の方向に沿うように八状に分かれた折り罫からなるものとすることが可能である。また、紙箱１の天面（天面閉鎖部７）の一隅に曲がり面部９の上端９ａが近接しているものを示したが、下端９ｂが底面（底面閉鎖部８）の一隅に近接させるようにしたものについてもこの補強２３を設ける構成を採用することができ、さらに面取り部１０が菱形とした紙箱に限定されるものでもない。
【符号の説明】
【００６８】
１…紙箱
２…正面板
３…背面板
４…左側面板
５…右側面板
６…箱胴部
９…曲がり面部
９ａ…曲がり面部の上端
９ｂ…曲がり面部の下端
１０…面取り部
１４…弱化線
１５…弱化線位置
１６…カット線部
１７…繋ぎ部
１８…曲がり
１９…曲がりの頂部
２０…繋ぎ部が胴周り方向に間隔をおいて配置されている列
２１…繋ぎ部間部
２２…線状補強部
２３…補強手段
ａ…列の太部
ｂ…列の細部
Ｘ…天面の一隅
Ｙ…底面の一隅
【図１】
0006582547.tif 000002
【図２】
0006582547.tif 000003
【図３】
0006582547.tif 000004
【図４】
0006582547.tif 000005
【図５】
0006582547.tif 000006
【図６】
0006582547.tif 000007
【図７】
0006582547.tif 000008
【図８】
0006582547.tif 000009
【図９】
0006582547.tif 000010
【図１０】
0006582547.tif 000011
【図１１】
0006582547.tif 000012
【図１２】
0006582547.tif 000013
【図１３】
0006582547.tif 000014
【図１４】
0006582547.tif 000015